(57)【要約】【課題】電子制御ユニットや電源ユニットと負荷との接続を容易に行うことができ、且つ様々な仕様の負荷に対して汎用性に優れた制御機能付きコネクタ装置を提供する。【解決手段】負荷３に接続された第１の配線部７と、電子制御ユニット及び電源ユニットに接続される第２の配線部９とを、蓋体５３によってケース４１の開放部分に挟み込み、これらと通信機能を有し且つ負荷３を駆動する機能を有する回路基板４５とを中継端子４７で接続する。汎用性に富む構成の制御機能付きコネクタ装置１を取り付けるだけで、電子制御ユニット及び電源ユニットと負荷３との間の接続を容易に行える。【選択図】図２
2005259405.tif 000002
【特許請求の範囲】
【請求項１】
負荷に接続された第１の配線部と、給電線及び通信線を有する第２の配線部とに接続され、
ケースと、
前記ケースの所定位置に収納され、通信機能を有し且つ前記負荷を駆動する機能を有する回路基板と、
前記ケース内の所定位置に配設された複数の中継端子と、
前記第１の配線部及び前記第２の配線部を、互いに並置した状態で前記ケースの開放部分に挟み込み保持するように当該ケースに取り付けられて、前記第１の配線部及び前記第２の配線部を前記各中継端子を介して前記回路基板にそれぞれ電流的接続させるよう支持する蓋体と
を備える制御機能付きコネクタ装置。
【請求項２】
請求項１に記載の制御機能付きコネクタ装置であって、
前記第１の配線部及び前記第２の配線部は、一部が皮剥されたフレキシブルプリント配線回路部材またはフレキシブルフラット配線回路部材に形成され、
前記蓋体の上面に、前記フレキシブルプリント配線回路部材または前記フレキシブルフラット配線回路部材の皮剥された部分を露出方向に押圧して前記ケース内の前記中継端子に接続させる突条が形成された、制御機能付きコネクタ装置。
【請求項３】
請求項２に記載の制御機能付きコネクタ装置であって、
複数の前記中継端子が所定の配置関係に並設されたことを特徴とする制御機能付きコネクタ装置。
【請求項４】
請求項１に記載の制御機能付きコネクタ装置であって、
前記各中継端子が、前記蓋体の主面上に配置される前記第１の配線部及び前記第２の配線部に押圧接続するようばね状に形成されたことを特徴とする制御機能付きコネクタ装置。
【発明の詳細な説明】
【技術分野】
【０００１】
本発明は、制御機能付きコネクタ装置及びそれに関連する技術に関するものである。
【背景技術】
【０００２】
電子制御技術の発展に伴い、自動車内には、エンジン始動、車輌走行、停止及び操舵角等の走行系の車載機器以外に、エアコン等のモータを搭載した様々な車載機器が搭載されるようになっている。これらの車載機器を操作及び制御する場合、通常は、車室内のインストゥルメント・パネル内等に制御用の電子制御ユニット（ＥＣＵ）を設置し、この電子制御ユニットと各車載機器との間で通信を行いながら、電子制御ユニットからの指示に基づいて各電装機器が動作するようになっている。
【発明の開示】
【発明が解決しようとする課題】
【０００３】
上述のように、各車載機器は、これらが電子制御ユニットとの間で通信を行いながら電気式に駆動する装置であることから、電源の供給を受ける以外に、電子制御ユニットとの間で制御信号の送受信を行う必要がある。したがって、各車載電源系は、電源系の電線と制御信号系の電線のそれぞれに接続される必要があることから、自動車内の配線構成は、車載機器が増大するとともに複雑化・煩雑化してきた。特に、多くの車載機器を操作制御するための電子制御ユニットが設置されるインストゥルメント・パネル内は、配線のためのスペースが多大となってしまい、スペース的に限界となっていた。
【０００４】
また、モータ等の負荷と、電子制御ユニットや電源ユニットとの接続を司るコネクタは、負荷として様々な仕様のものを許容しながらも、コネクタ自体を可及的に共用化することが望ましい。
【０００５】
そこで、本発明の課題は、負荷に接続された第１の配線部と、給電線及び通信線を有する第２の配線部との接続を容易に行うことができ、且つ様々な仕様の負荷に対して汎用性に優れた制御機能付きコネクタ装置を提供することにある。
【課題を解決するための手段】
【０００６】
上記課題を解決すべく、請求項１に記載の発明は、負荷に接続された第１の配線部と、給電線及び通信線を有する第２の配線部とに接続され、ケースと、前記ケースの所定位置に収納され、通信機能を有し且つ前記負荷を駆動する機能を有する回路基板と、前記ケース内の所定位置に配設された複数の中継端子と、前記第１の配線部及び前記第２の配線部を、互いに並置した状態で前記ケースの開放部分に挟み込み保持するように当該ケースに取り付けられて、前記第１の配線部及び前記第２の配線部を前記各中継端子を介して前記回路基板にそれぞれ電流的接続させるよう支持する蓋体とを備えるものである。
【０００７】
請求項２に記載の発明は、請求項１に記載の制御機能付きコネクタ装置であって、前記第１の配線部及び前記第２の配線部は、一部が皮剥されたフレキシブルプリント配線回路部材またはフレキシブルフラット配線回路部材に形成され、前記蓋体の上面に、前記フレキシブルプリント配線回路部材または前記フレキシブルフラット配線回路部材の皮剥された部分を露出方向に押圧して前記ケース内の前記中継端子に接続させる突条が形成されたものである。
【０００８】
請求項３に記載の発明は、請求項２に記載の制御機能付きコネクタ装置であって、複数の前記中継端子が所定の配置関係に並設されたものである。
【０００９】
請求項４に記載の発明は、請求項１に記載の制御機能付きコネクタ装置であって、前記各中継端子が、前記蓋体の主面上に配置される前記第１の配線部及び前記第２の配線部に押圧接続するようばね状に形成されたものである。
【発明の効果】
【００１０】
請求項１に記載の発明の制御機能付きコネクタ装置は、負荷に接続された第１の配線部と、電子制御ユニット及び電源ユニットに接続される第２の配線部とを、蓋体によってケースの開放部分に挟み込み、これらと通信機能を有し且つ負荷を駆動する機能を有する回路基板とを中継端子で接続する構成としているので、制御機能付きコネクタ装置を取り付けるだけで、電子制御ユニット及び電源ユニットと負荷との間の接続を容易に行うことができ、且つこの制御機能付きコネクタ装置内の回路基板により電子制御ユニットと通信を行いながら負荷を駆動できる。この場合、第１の配線部及び第２の配線部をケースの開放の部分に互いに並置した状態で、蓋体をケースに取り付けるだけの構成なので、制御機能付きコネクタ装置自体の小型化を図ることが可能であり、また当該制御機能付きコネクタ装置の取り付けが容易であり、且つ互換性に優れた制御機能付きコネクタ装置を提供できる。
【００１１】
請求項２に記載の発明の制御機能付きコネクタ装置は、第１の配線部及び第２の配線部がフレキシブルプリント配線回路部材またはフレキシブルフラット配線回路部材である場合に、蓋体の上面に形成された突条で、フレキシブルプリント配線回路部材またはフレキシブルフラット配線回路部材の皮剥された部分を露出方向に押圧してケース内の中継端子に接続させる構成となっているので、第１の配線部及び第２の配線部と回路基板との間の電気的接続を確実に行うことができ、信頼性に富む制御機能付きコネクタ装置を提供できる。
【００１２】
請求項３に記載の発明の制御機能付きコネクタ装置は、複数の中継端子が所定の配置関係に並設されているので、第１の配線部と第２の配線部とが並置して配置されているのであれば、これら第１の配線部と第２の配線部とが一体的に単一のフレキシブルプリント配線回路部材またはフレキシブルフラット配線回路部材に並設形成されている場合であっても、第１の配線部と第２の配線部とが別個のフレキシブルプリント配線回路部材またはフレキシブルフラット配線回路部材として構成されている場合であっても、いずれも支障無く制御機能付きコネクタ装置に接続することができる。したがって、汎用性に優れた制御機能付きコネクタ装置を提供できる。
【００１３】
尚、この場合において、第１の配線部と第２の配線部とが一体的に単一のフレキシブルプリント配線回路部材またはフレキシブルフラット配線回路部材に並設形成されている場合に、この第１の配線部と第２の配線部とが一体的に構成されることで部品点数が少なくて済み、その管理や取り扱いが容易である利点がある。特に、第２の配線部を共通線部材として、多くの負荷を接続する場合に、この第２の配線部と多くの第１の配線部を、単一の部品として一体に構成でき便利である。
【００１４】
また、第１の配線部と第２の配線部とが別個のフレキシブルプリント配線回路部材またはフレキシブルフラット配線回路部材として構成されている場合は、制御機能付きコネクタ装置を交換することなく、第１の配線部と第２の配線部といずれかの配線部に製造不良が生じた場合にも良品と交換すればいいだけなので、製造時における歩留まりが向上する利点がある。
【００１５】
請求項４に記載の発明の制御機能付きコネクタ装置は、請求項１に記載の制御機能付きコネクタ装置であって、各中継端子が、蓋体の主面上に配置される第１の配線部及び第２の配線部に押圧接続するようばね状に形成されているので、第１の配線部と第２の配線部がフレキシブルプリント配線回路部材またはフレキシブルフラット配線回路部材でなく、例えばプリント配線が施された固形の実装基板や、ディスクリート線等の被覆電線が束ねられた電線束が適用されていても、これらを制御機能付きコネクタ装置により容易に接続することができる。
【発明を実施するための最良の形態】
【００１６】
｛第１実施形態｝
図１は本発明の第１実施形態に係る制御機能付きコネクタ装置１を示す斜視図、図２は同じくその分解斜視図、図３はその変形例としての制御機能付きコネクタ装置１を示す斜視図、図４は同じくその分解斜視図である。
【００１７】
この制御機能付きコネクタ装置１は、図１ないし図４の如く、通信機能を有し且つモータ等の負荷３を駆動する機能を有するベアチップやその他のＬＳＩ等の制御素子５が内蔵されたものであって、負荷３に接続される第１の配線部７と、図示しない電子制御ユニットや電源ユニットに接続される第２の配線部９とを接続するものである。
【００１８】
負荷３の例としては、例えば車載エアコンのダンパーを開閉駆動するためのＤＣサーボモータや正逆回転ステッピングモータ等が適用され、制御機能付きコネクタ装置１から与えられる駆動電流に応じて動作する。
【００１９】
この負荷３の例を図５及び図６に示す。負荷３としては例えばバルブ形状に形成され、図５のように、この負荷３の第１の配線部７と接続するための接続端子１３が、本体下半部１１に形成されていてもよいし、あるいは図６のように、第１の配線部７と接続するための接続端子１３が、本体上半部１５に形成されていてもよい。勿論、適用される負荷３としては、図５及び図６に示したものに限られない。このように様々な負荷３が適用される場合は、制御機能付きコネクタ装置１を交換しなくても、この負荷３の接続構成に応じて、第１の配線部７が構成されればよい。尚、図５及び図６中の符号１７は、図示省略する所定の支持部材に係合するための係合爪、符号１９は第１の配線部７が形成される配線部材２１（図１及び図２参照）等に当接する当接片を示している。
【００２０】
第１の配線部７と第２の配線部９とは、例えば第１の態様として、図１及び図２の如く、単一の配線部材２１として一体的に形成されたものがあり、また第２の態様として、図３及び図４の如く、別々の配線部材２３，２５に分離して構成されたものがある。
【００２１】
第１の態様における配線部材２１は、図１及び図２のようなフレキシブルプリント配線回路部材またはフレキシブルフラット配線回路部材が適用され、第１の配線部７が形成されるとともに負荷３の接続端子１３が接続される第１の配線領域２７と、第２の配線部９が形成された第２の配線領域２９とを備え、これらの両配線領域２７，２９が一体的に形成される。即ち、第１の配線領域２７に第１の配線部７が平面状に形成されるとともに、第２の配線領域２９に第２の配線部９が平面状に形成されて、これらがその上下両面側より保護フィルムにより被覆されて構成される。
【００２２】
第１の配線部７は、給電線、グランド線及び信号線の３種類の導電線が、互いに非接触にパターン形成されている。また、第２の配線部９においても同様に、給電線、グランド線及び信号線の３種類の導電線が、互いに非接続にパターン形成されている。そして、第１の配線部７の各導電線と、第２の配線部９の各導電線とは、互いに非接続にパターン形成され、これらが制御機能付きコネクタ装置１によって接続／非接続の切り換えが行われる。
【００２３】
そして、第１の配線領域２７において、上面側の保護フィルムの負荷３が搭載される部分が皮剥されて第１の配線部７が上方に露出され、その露出した第１の配線部７に負荷３の接続端子１３が接続される。また、第１の配線領域２７において、図２の如く、上面側の保護フィルムの制御機能付きコネクタ装置１が装着される部分３１も、皮剥されて第１の配線部７が上方に露出され、その部分３１の露出した第１の配線部７が制御機能付きコネクタ装置１に接続される。さらに、第２の配線領域２９においても、図２の如く、上面側の保護フィルムの制御機能付きコネクタ装置１が装着される部分３３が、皮剥されて第２の配線部９が上方に露出され、その部分３３の第２の配線部９が制御機能付きコネクタ装置１に接続される。そして、第１の配線領域２７において制御機能付きコネクタ装置１に接続されるために皮剥された部分３１と、第２の配線領域２９において制御機能付きコネクタ装置１に接続されるために皮剥された部分３３とは、近接してその位置が設定されており、特に、両配線領域２７，２９において皮剥されて露出された各配線部７，９の各導電線の部分３１，３３は、所定の配置関係（具体例として一方向）に並んで配置される。
【００２４】
一方、第２の態様における第１の配線部材２３及び第２の配線部材２５は、図３及び図４のようなフレキシブルプリント配線回路部材またはフレキシブルフラット配線回路部材がそれぞれ適用される。即ち、第１の配線部７が平面状に形成され、その上下両面に保護フィルムが被覆されて第１の配線部材２３が構成されるとともに、第２の配線部９が平面状に形成され、その上下両面に保護フィルムが被覆されて第２の配線部材２５が構成される。こうして第１の配線部材２３と第２の配線部材２５とが互いに分離して構成される。
【００２５】
ここで、第１の配線部７及び第２の配線部９は、それらの給電線、グランド線及び信号線の３種類の導電線が互いに非接触にそれぞれパターン形成されており、この点において、この第２の態様は第１の態様と同様である。また、第１の配線部７の各導電線と、第２の配線部９の各導電線とが制御機能付きコネクタ装置１によって接続／非接続の切り換えが行われる点でも、この第２の態様は第１の態様と同様である。
【００２６】
このように構成された第１の配線部材２３において、上面側の保護フィルムの負荷３が搭載される部分が皮剥されて第１の配線部７が上方に露出され、その露出した第１の配線部７に負荷３の接続端子１３が接続される。また、図４の如く、第１の配線部材２３の制御機能付きコネクタ装置１が装着される部分３５と、第２の配線部材２５の制御機能付きコネクタ装置１が装着される部分３７が、いずれも皮剥されて第１の配線部７及び第２の配線部９が上方に露出され、その部分３５，３７の露出した各配線部７，９が制御機能付きコネクタ装置１に接続される。
【００２７】
この場合、第１の配線部材２３において制御機能付きコネクタ装置１に接続されるために皮剥された部分３５と、第２の配線部材２５において制御機能付きコネクタ装置１に接続されるために皮剥された部分３７とは、各配線部７，９が図４に示すように一方向に並んで配置されるようにして、制御機能付きコネクタ装置１に接続される。
【００２８】
制御機能付きコネクタ装置１は、上記した第１の態様と第２の態様の両方の態様に共に使用されるもので、コネクタ本体となる下面開放形のケース４１と、ケース４１の下面開放部に装着されるとともに配線部材２１，２３，２５（第１の態様にあっては配線部材２１、第２の態様にあっては第１の配線部材２３及び第２の配線部材２５）の皮剥された部分３１，３３，３５，３７をその露出方向（図２及び図４において上方向）に突出するよう当該配線部材２１，２３，２５を下面側から押圧保持する押圧保持体（リテーナ）４３と、スイッチ素子等を含む制御素子５及び配線回路が搭載及び形成された回路基板４５と、押圧保持体４３によって突出された配線部材２１，２３，２５の皮剥された部分３１，３３，３５，３７と回路基板４５との間の電気的接続をとる中継端子４７とを備える。
【００２９】
ケース４１は絶縁樹脂等の絶縁体によって下面開放の中空箱形に形成され、その上面壁には、複数の中継端子４７をそれぞれ嵌入するための複数のスリット５１が形成されている。各スリット５１は、配線部材２１，２３，２５の皮剥された部分３１，３３，３５，３７に露出する配線部７，９に対応して並列して設けられる。ケース４１の下面開放部付近の内壁には、押圧保持体４３が係合止着されるための係合孔または係合溝（図示省略）が形成されている。
【００３０】
押圧保持体４３は、絶縁樹脂等の絶縁体によって形成され、配線部材２１，２３，２５を挟みつつケース４１の下面開放部を閉塞する蓋体５３と、この蓋体５３の上面中央部をほぼ横断するように形成されて配線部材２１，２３，２５の皮剥された部分３１，３３，３５，３７をその露出方向に突出するよう押圧する突条５５とが一体形成されてなる。そして、蓋体５３及び突条５５の所定の位置には、ケース４１の下面開放部付近の内壁に形成された係合孔または係合溝（図示省略）に係合するための係合爪５７が形成されている。
【００３１】
回路基板４５は、所定の絶縁基板に配線パターン（図示省略）が形成されるとともに、制御素子５が実装されて構成される。この制御素子５は、第２の配線部９の信号線を通じて電子制御ユニットから与えられた制御信号に基づいて、第２の配線部９の給電線から与えられる電圧のオンオフ制御等を行い、第１の配線部７に接続された負荷３の駆動制御を行うようになっている。この場合において、第２の配線部９に対して複数の負荷３が接続される場合は、回路基板４５の制御素子５にアドレスを付与しておき、電子制御ユニットがアドレス指定を行いながら制御信号を送信することで、各個の制御機能付きコネクタ装置１が個別に負荷３を駆動制御するようになっている。
【００３２】
中継端子４７は、所定の金属板が打ち抜き形成されるなどして形成されるもので、ケース４１のスリット５１に嵌入されて、配線部材２１，２３，２５の皮剥された部分３１，３３，３５，３７と回路基板４５の配線パターンに形成された接続パッド（図示省略）との電気的導通をとるためのものである。具体的に、この中継端子４７は、配線部材２１，２３，２５の皮剥された部分３１，３３，３５，３７に露出する位置の配線部７，９に接続する第１の接続片６１と、回路基板４５の配線パターンの接続パッド（図示省略）に接続される第２の接続片６２とが、基端部６０から突出したアーム状に形成されている。各接続片６１，６２の先端部６３，６４は、配線部材２１，２３，２５の皮剥された部分３１，３３，３５，３７に露出する配線部７，９及び回路基板４５の配線パターンに形成された接続パッド（図示省略）にそれぞれ確実に接続されるために、これらの各接続対象に向けて突出した楔形に形成されている。また、両接続片６１，６２の間には、基端部６０から両接続片６１，６２と同方向に突出された中間片６５が形成されており、押圧保持体４３の突条５５により突出された配線部材２１，２３，２５の皮剥された部分３１，３３，３５，３７に露出する配線部７，９が、中継端子４７の中間片６５と第１の接続片６１とで挟み込まれて導通固定され、また、回路基板４５が、中継端子４７の中間片６５と第２の接続片６２とで挟み込まれて導通固定される。
【００３３】
上記構成の制御機能付きコネクタ装置１を、第１の態様で装着する場合は、図２の如く、ケース４１の上面の各スリット５１に中継端子４７をそれぞれ挿入し、中継端子４７の中間片６５と第２の接続片６２との間に、回路基板４５を嵌入する。これにより、回路基板４５上の配線パターンが中継端子４７の第２の接続片６２の楔形の先端部６４に接続されるとともに、この回路基板４５がケース４１内で中継端子４７によって支持固定される。
【００３４】
次に、押圧保持体４３の突条５５を配線部材２１の皮剥された部分３１，３３に対応する下面側に配置し、この突条５５により配線部材２１の皮剥された部分３１，３３をその露出方向に突出するよう押圧しながら、その皮剥された部分３１，３３を中継端子４７の中間片６５と第１の接続片６１との間に嵌入する。これにより、配線部材２１の第１の配線部７及び第２の配線部９がそれぞれ対応する中継端子４７の楔形の先端部６３に接続されるとともに、この突条５５により突出された配線部材２１がケース４１内で中継端子４７によって支持固定される。
【００３５】
そして、押圧保持体４３の係合爪５７をケース４１の下面開放部付近の係合孔または係合溝（図示省略）に係合させて、蓋体５３により配線部材２１を挟みつつケース４１の下面開放部を閉塞し、図１に示したような制御機能付きコネクタ装置１の第１の態様での装着が完了する。
【００３６】
この第１の態様においては、第１の配線部７と第２の配線部９とが、単一の配線部材２１内に一体的に構成されているので、部品としての配線部材２１の部品点数が少なくて済み、その管理や取り扱いが容易である利点がある。特に、第２の配線部９を共通線部材として、多くの負荷３を接続する場合に、この第２の配線部９と多くの第１の配線部７を、単一の配線部材２１として一体に構成できるので便利である。
【００３７】
次に、制御機能付きコネクタ装置１を、第２の態様で装着する場合は、図４の如く、ケース４１の上面の各スリット５１に中継端子４７をそれぞれ挿入し、第１の態様と同様に、中継端子４７の中間片６５と第２の接続片６２との間に、回路基板４５を嵌入して、回路基板４５上の配線パターンが中継端子４７の第２の接続片６２の楔形の先端部６４に接続することで、回路基板４５をケース４１内で中継端子４７によって支持固定する。
【００３８】
次に、負荷３の取り付け位置に応じて両配線部材２３，２５を図４に示した所定の相対的配置関係に並置調整した後、押圧保持体４３の突条５５を両配線部材２３，２５の皮剥された部分３５，３７に対応する下面側に配置し、この突条５５により両配線部材２３，２５の皮剥された部分３５，３７をその露出方向に突出するよう押圧しながら、その皮剥された部分３５，３７を中継端子４７の中間片６５と第１の接続片６１との間に嵌入する。これにより、両配線部材２３，２５の各配線部７，９がそれぞれ対応する中継端子４７の楔形の先端部６３に接続されるとともに、この突条５５により突出された両配線部材２３，２５がケース４１内で中継端子４７によって支持固定される。
【００３９】
そして、第１の態様と同様にして、押圧保持体４３の係合爪５７をケース４１の下面開放部付近の係合孔または係合溝（図示省略）に係合させ、蓋体５３により両配線部材２３，２５を挟みつつケース４１の下面開放部を閉塞し、図３に示したような制御機能付きコネクタ装置１の第２の態様での装着が完了する。
【００４０】
この第２の態様においては、第１の配線部７と第２の配線部９とが、別々の配線部材２３，２５内において別個に構成されているので、いずれかの配線部７，９に製造不良が生じた場合にも良品と交換すればいいだけなので、製造時における歩留まりが向上する利点がある。
【００４１】
また、この実施形態においては、第２の配線部９についての皮剥位置を当該第２の配線部９の配線方向に沿って変更するだけで、第１の配線部７及び制御機能付きコネクタ装置１の取り付け位置を任意の位置に容易に変更できる利点がある。
【００４２】
このように、図１及び図２に示した第１の態様と、図３及び図４に示した第２の態様とのいずれにおいても、制御機能付きコネクタ装置１を取り付けるだけで、極めて容易に第１の配線部７と第２の配線部９を接続できるので、負荷３を第１の配線部７に取り付ければ、後は制御機能付きコネクタ装置１を取り付けるだけで、電子制御ユニット及び電源ユニットと負荷３との接続及び負荷３の制御を司る制御素子５とを簡単に接続できて便利である。
【００４３】
また、図１及び図２に示した第１の態様と、図３及び図４に示した第２の態様とで設計変更を行っても、同じ仕様の制御機能付きコネクタ装置１を共用できるので、車種毎の配線部材２１，２３，２５の設計に自由度を持たせることができ便利である。
【００４４】
さらに、図５及び図６に示したような様々な負荷３を制御機能付きコネクタ装置１に直接取り付けるのではなく、第１の配線部７を介して取り付けるので、負荷３の形状の制約を受けずに制御機能付きコネクタ装置１を規格化することができる。
【００４５】
さらにまた、ケース４１内の中継端子４７に回路基板４５を装着し、フレキシブルプリント配線回路部材またはフレキシブルフラット配線回路部材である配線部材２１，２３，２５の下面を押圧保持体４３で押圧して装着するといった簡素な構成なので、制御機能付きコネクタ装置１自体を容易に小型化することができる。
【００４６】
｛第２実施形態｝
図７は本発明の第２実施形態に係る制御機能付きコネクタ装置を示す分解斜視図、図８は同じくその側面視断面図である。なお、この実施形態では第１実施形態と同様の機能を有する要素については同一符号を付している。
【００４７】
この実施の形態の制御機能付きコネクタ装置は、図７の如く、平面状の配線部材２１，２３，２５の上方への露出部分（第１実施形態では皮剥部分）３１，３３，３５，３７に対して、第１実施形態のように押圧保持体４３で露出方向に押圧して変形させるのではなく、例えば板ばね等のばね状の中継端子７１によって露出した各配線部７，９をそれぞれ上面側から弾接することで、配線部材２１，２３，２５を変形させずに組付けできるようにしたものである。
【００４８】
具体的に、この制御機能付きコネクタ装置１は、下面開放状の中空状のケース７３と、ケース７３内の上部に収納される回路基板７５と、配線部材２１，２３，２５を挟みつつケース７３の下面開放部を閉塞する蓋体７７と、この蓋体７７の内面（上面）に支持される配線部材２１，２３，２５の上方への露出部分３１，３３，３５，３７と回路基板７５の下面との間に挟まれて配置されるばね状の中継端子７１とを備える。
【００４９】
また、蓋体７７の側片の一部には係合爪７９が形成され、またケース７３の下端部の下面開放部分の付近には、蓋体７７の係合爪７９に対応するフック８１が形成されている。そして、このケース７３のフック８１が蓋体７７の係合爪７９に係合することで、ケース７３の下面開放部で、蓋体７７が配線部材２１，２３，２５を挟み込んで取り付けられ、これによってばね状の中継端子７１の弾性力により、この中継端子７１と回路基板７５との接続、及び中継端子７１と配線部材２１，２３，２５の上方への露出部分３１，３３，３５，３７における配線部７，９との接続がなされる。
【００５０】
かかる構成によると、配線部材２１，２３，２５を変形しなくてもよいので、この配線部材２１，２３，２５としてフレキシブルプリント配線回路部材またはフレキシブルフラット配線回路部材でなくプリント配線が施された固形の実装基板や、ディスクリート線等の被覆電線が束ねられた電線束を適用しても、この制御機能付きコネクタ装置１により容易に接続することができる。
【００５１】
また、この実施形態の構成によっても、第１実施形態と同様に、制御機能付きコネクタ装置１を取り付けるだけで、配線部材２１，２３，２５の第１の配線部７と第２の配線部９を極めて容易に接続できるので、負荷３を第１の配線部７に取り付ければ、後は制御機能付きコネクタ装置１を取り付けるだけで、電子制御ユニット及び電源ユニットと負荷３との接続及び負荷３の制御を司る制御素子５とを簡単に接続できて便利である。
【００５２】
また、第１実施形態で説明した第１の態様（図１及び図２参照）と第２の態様（図３及び図４参照）で設計変更を行っても、同じ仕様の制御機能付きコネクタ装置１を共用できるので、車種毎の配線部材２１，２３，２５の設計に自由度を持たせることができ便利である。
【００５３】
さらに、第１実施形態と同様に、図５及び図６に示したような様々な負荷３を制御機能付きコネクタ装置１に直接取り付けるのではなく、第１の配線部７を介して取り付けるので、負荷３の形状の制約を受けずに制御機能付きコネクタ装置１を規格化することができる。
【００５４】
さらにまた、第１実施形態と同様に、ケース７３内に回路基板７５及び中継端子７１を収納し、配線部材２１，２３，２５の下面を蓋体７７で支持するだけといった簡素な構成なので、制御機能付きコネクタ装置１自体を容易に小型化することができる。
【００５５】
尚、上記の各実施形態で説明した配線部材２１，２３，２５は、図１〜図４及び図７に示した形状である必要はない。例えば、第１の配線部７が形成された第１の配線部材２３として、図９〜図１２のように負荷３の形状に合わせたリング状に形成されてもよい。
【００５６】
また、第２の配線部９が形成された第２の配線部材２５としても、図１１及び図１２のように、ディスクリート線等の被覆電線が束ねられた電線束を適用し、その一部を皮剥ぎして制御機能付きコネクタ装置１に接続するようにしてもよい。
【００５７】
尚、第１実施形態では、図１〜図４に示すように、制御素子５を有する回路基板４５がケース４１の内部に収納されていたが、例えば図１３のように、ケース４１の側面に挿入孔９１ａ〜９１ｃを形成するとともに、回路基板４５を例えば挿入孔９１ａ，９１ｂに対応する形状に形成して、この挿入孔９１ａ，９１ｃに亘って回路基板４５の一部を外側から挿入することで、回路基板４５をケース４１の外側に装着するようにしてもよい。この図１３では、上記の第２の態様を示しており、ケース４１の挿入孔９１ｂに第２の配線部材２３の皮剥部分３５が外側から挿入され、また第２の配線部材２５は、第１実施形態と同様に、ケース４１の下面に形成された開放部分より下面側から押圧保持体（リテーナ）４３にて押圧保持されている。そして、これらの配線部材２３，２５と回路基板４５との間の電気的接続を、ケース４１の内部で中継端子４７により行う点は、第１実施形態と同様である。
【００５８】
また、第１実施形態の第１の態様においては、各配線部７，９の各導電線の部分３１，３３が一方向に並んで配置され、かかる状態で中継端子４７に接続されていたが、各配線部７，９の各導電線の部分３１，３３は必ずしも一方向に並んで配置される必要はない。例えば、第１の態様の場合に、図１４に示すように配線部材２１の一部を折曲して、第１の配線部７の露出部分３１と第２の配線部９の露出部分３３とが上下に重なるように配置し、また第２の態様の場合に、第１及び第２の配線部材２３，２５を上下に重なるように配置して、第１の配線部７の露出部分３５と第２の配線部９の露出部分３７とが上下に重なるように配置してもよい。この場合も、図１３に示したような形状の中継端子４７により、各配線部７，９と回路基板４５との接続を容易に行うことができる。
【図面の簡単な説明】
【００５９】
【図１】本発明の第１実施形態に係る制御機能付きコネクタ装置が取り付けられた状態を示す斜視図である。
【図２】図１の制御機能付きコネクタ装置を示す分解斜視図である。
【図３】図１の変形例に係る制御機能付きコネクタ装置が取り付けられた状態を示す斜視図である。
【図４】図３の制御機能付きコネクタ装置を示す分解斜視図である。
【図５】本発明の第１実施形態に係る制御機能付きコネクタ装置が適用される負荷としてのモータの一例を示す斜視図である。
【図６】本発明の第１実施形態に係る制御機能付きコネクタ装置が適用される負荷としてのモータの他の例を示す斜視図である。
【図７】本発明の第２実施形態に係る制御機能付きコネクタ装置を示す分解斜視図である。
【図８】図７の制御機能付きコネクタ装置を示す側面視断面図である。
【図９】本発明の他の変形例に係る制御機能付きコネクタ装置の一例を示す斜視図である。
【図１０】本発明の他の変形例に係る制御機能付きコネクタ装置の一例を示す斜視図である。
【図１１】本発明の他の変形例に係る制御機能付きコネクタ装置の一例を示す斜視図である。
【図１２】本発明の他の変形例に係る制御機能付きコネクタ装置の一例を示す斜視図である。
【図１３】変形例に係る制御機能付きコネクタ装置を示す分解斜視図である。
【図１４】変形例に係る第１の態様の配線部材を示す斜視図である。
【図１５】変形例に係る第２の態様の第１及び第２の配線部材を示す斜視図である。
【符号の説明】
【００６０】
１  コネクタ装置
３  負荷
５  制御素子
７，９  配線部
１３  接続端子
２１，２３，２５  配線部材
２７，２９  配線領域
３１，３３，３５，３７  皮剥された部分
４１  ケース
４３  押圧保持体
４５  回路基板
４７  中継端子
５１  スリット
５３  蓋体
５５  突条
５７  係合爪
６０  基端部
６１，６２  接続片
６３，６４  先端部
６５  中間片
７１  中継端子
７３  ケース
７５  回路基板
７７  蓋体
７９  係合爪
８１  フック
【図１】
2005259405.tif 000003
【図２】
2005259405.tif 000004
【図３】
2005259405.tif 000005
【図４】
2005259405.tif 000006
【図５】
2005259405.tif 000007
【図６】
2005259405.tif 000008
【図７】
2005259405.tif 000009
【図８】
2005259405.tif 000010
【図９】
2005259405.tif 000011
【図１０】
2005259405.tif 000012
【図１１】
2005259405.tif 000013
【図１２】
2005259405.tif 000014
【図１３】
2005259405.tif 000015
【図１４】
2005259405.tif 000016
【図１５】
2005259405.tif 000017